(57)【要約】【課題】ロールペーパーを引き出して切断した後、ロールペーパー端部を常にロールペーパーホルダーから所定の長さだけ引き出し開放した状態にする。【解決手段】引き出されたロールペーパーの表裏両側から互いに向かい合わせて裏面部材とカバー部材とを開閉可能に併設し、前記裏面部材とカバー部材のうちの一方には略水平方向に伸びる凸部を、他方には該凸部を陥入させる陥入部を設けるとともに前記裏面部材とカバー部材のいずれか一方には歯部もしくは刃部を設ける。更に、前記裏面部材とカバー部材とを閉じた際には前記ロールペーパーを前記凸部と陥入部との間に挟み込むとともに前記歯部もしくは刃部で保持もしくは切断し、前記裏面部材とカバー部材とを開いた際には前記挟み込みならびに保持から前記ロールペーパーを開放するように構成する。更に、前記凸部と陥入部との構成に変えて、ロールペーパー跳ね上げ部材を設けた構成にする。【選択図】図１
2009118990.tif 000002
【特許請求の範囲】
【請求項１】
引き出されたロールペーパーの表裏両側から互いに向かい合わせて裏面部材とカバー部材とを開閉可能に併設し、前記裏面部材とカバー部材のうちの一方に略水平方向に伸びる一個もしくは複数個の凸部を、他方に該凸部を陥入させる陥凹部を共に略平滑な面で形成すると共に、前記裏面部材とカバー部材のいずれか一方の部材の下端部に歯部もしくは刃部を設け、前記裏面部材とカバー部材とを閉じた際には前記ロールペーパーを前記凸部と陥凹部との間に挟み込み、前記歯部もしくは刃部で前記ロールペーパーを保持もしくは切断し、前記裏面部材とカバー部材とを開いた際には少なくとも最下段の前記凸部もしくは陥凹部を形成する平滑な面の傾斜角が水平面に対して２０度以上になるように構成したことを特徴とするロールペーパーホルダー。
【請求項２】
引き出されたロールペーパーの表裏両側から互いに向かい合わせて裏面部材とカバー部材とを開閉可能に併設し、前記裏面部材とカバー部材のうちの一方に略水平方向に伸びる一個もしくは複数個の凸部を、他方に該凸部を陥入させる陥凹部を共に略平滑な面で形成すると共に、前記裏面部材とカバー部材のいずれか一方の部材の下端部に歯部もしくは刃部を設け、前記裏面部材とカバー部材とを閉じた際には、前記ロールペーパーを前記凸部と陥凹部との間に挟み込むと共に前記歯部もしくは刃部で前記ロールペーパーを保持もしくは切断すると共に、前記ロールペーパーにおいて、前記歯部もしくは刃部で保持もしくは切断された位置から最下段の陥凹部を形成する面の最下端までの長さが前記最下段の陥凹部を形成する面の上向き面の長さよりも長くしたことを特徴とするロールペーパーホルダー。
【請求項３】
引き出されたロールペーパーの表裏両側から互いに向かい合わせて裏面部材とカバー部材とを開閉可能に併設し、前記裏面部材とカバー部材のうちの一方に略水平方向に伸びる一個もしくは複数個の凸部を、他方に該凸部を陥入させる陥凹部を設け、さらに前記陥凹部に伸縮部材を設ける共に、前記裏面部材とカバー部材のいずれか一方の部材の下端部に歯部もしくは刃部を設け、前記裏面部材とカバー部材とを閉じた際には前記ロールペーパーを前記伸縮部材を介して前記凸部と陥凹部との間に挟み込み、前記歯部もしくは刃部で前記ロールペーパーを保持もしくは切断し、前記裏面部材とカバー部材とを開いた際には前記ロールペーパーを前記伸縮部材を介した前記凸部と陥凹部とによる挟み込みから開放するように構成したことを特徴とするロールペーパーホルダー。
【請求項４】
引き出されたロールペーパーの表裏両側から互いに向かい合わせて裏面部材とカバー部材とを開閉可能に併設し、前記裏面部材とカバー部材のうちの一方に略水平軸を中心に回転し前記ロールペーパーの一部を持ち上げる跳ね上げ部材、他方に前記跳ね上げ部材に作用するストッパーを設けると共に、前記裏面部材とカバー部材のいずれか一方の部材の下端部に歯部もしくは刃部を設け、前記裏面部材とカバー部材とを閉じた際には、前記跳ね上げ部材がロールペーパーの一部を持ち上げると共に前記歯部もしくは刃部で前記ロールペーパーを保持もしくは切断し、前記裏面部材とカバー部材とを開いた際には前記跳ね上げ部材は当初の位置に戻るように構成したことを特徴とするロールペーパーホルダー。
【請求項５】
前記歯部もしくは刃部に沿って該歯部もしくは刃部を挟んだ少なくとも二つの位置に、前記歯部もしくは刃部と略同方向の反発力を有する反発部材を設け、前記裏面部材とカバー部材とを閉じた際には前記反発部材により前記ロールペーパーを挟み込み、前記ロールペーパーを前記歯部もしくは刃部で保持もしくは切断し、前記裏面部材とカバー部材とを開いた際には前記ロールペーパーを前記反発部材による挟み込みから開放するように構成したことを特徴とする、請求項１ないし請求項４に記載のロールペーパーホルダー。
【請求項６】
前記裏面部材とカバー部材のいずれか一方の部材の下端部に歯部もしくは刃部と、該歯部もしくは刃部が出入りできるように配置したバネ部材付き跳ね板と、該跳ね板を前記カバー部材側もしくは裏面部材側から跳ね板受け部で受けると共に前記跳ね板に押し当てもしくは離反する方向においてスライド可能なスライダーと、該スライダーのスライドを規制するバネ部材と、該バネ部材の一端を固定するバネ固定部材とを設け、前記裏面部材とカバー部材とを閉じた際には前記スライダーが前記バネ部材の弾性に抗して移動することにより前記跳ね板から離反して該跳ね板の動きを開放し、前記裏面部材とカバー部材とを開いた際には前記スライダーが前記跳ね板の動きを規制することを特徴とする請求項１ないし請求項４に記載のロールペーパーホルダー。
【請求項７】
前記裏面部材とカバー部材の全部もしくはその一部は帯電防止部材で形成もしくは覆われていることを特徴とする、請求項１ないし請求項４に記載のロールペーパーホルダー。
【発明の詳細な説明】
【技術分野】
【０００１】
本発明は、ロールペーパーを取り付けて使用するロールペーパーホルダー、さらにはロールペーパーをカットした際、ロールペーパーの先端部が開放された状態で引き出され、その先端部を容易に把持することが出来るロールペーパーホルダー、さらにはロールペーパーに直接触れることなくロールペーパーを切断できるロールペーパーホルダーに関する。
【背景技術】
【０００２】
ロールペーパーをロールペーパーホルダーに取り付けて使用する際、ロールペーパーを引き出し、適当な長さに切断して使用するが、次に使用する際には、切断された先端部をつまみ更に必要な長さだけ引き出し切断する。これらの動作を繰り返すにあたり、前回切断されたロールペーパーの先端部を容易につまめることが望ましく、そのためには、切断されたロールペーパーの先端部がロールペーパーホルダーの収納部から取り出され、さらにはホルダーの一部やカッターの近傍から開放されていることが要求される。この要望にこたえるために所定の長さだけ収納部から取り出された状態になるようにロールペーパーをカットする手法が提案されている。（例えば、特許文献１、特許文献２、特許文献３、特許文献４、特許文献５、特許文献６参照
【０００３】
【特許文献１】特開２００２−８５２８８
【特許文献２】特開２００３−１５３８２１
【特許文献３】特開２００３−１３５３０６
【特許文献４】実開平５−２８２９２
【特許文献５】特開平１０−４３０８７
【特許文献６】特開平１０−１７１
【０００４】
ところが特開２００２−８５２８８ならびに特開２００３−１５３８２１は、所定長さの引き出し量を確保するために設けられたカッター部とカバー先端部との空間にたるみが生じ、切断が不安定であるうえ、カッターの刃先が手前に突き出しているため恐怖感を与えてしまう。一方、特開２００３−１３５３０６はカッターに至るまでのロールペーパーの保持が片面での摩擦力によるものであるため前記引例と同じく切断が不安定であり、特に２枚重ねのロールペーパーの場合は顕著である。また、カッターの部分があくまでも手前に来るため、不意に指を引っ掛けてしまう危険を伴う。実開平５−２８２９２は、切断は安心して行えるうえ切断後のロールペーパー先端部が開放されるが、この先端部は下りてくるわけではなく切断位置から変わらないのでつまみ部分を見つけにくく、確実につまめるようにするには開閉板を上方に大きく離反させなければならず効率が悪い。特開平１０−４３０８７はカッターに至るまでにロールペーパーの保持部分がある程度確保できるが切断が不安定である。特開平１０−１７１はロールペーパーの保持部分が確保できるうえ切断も安定して行うことが出来る形態ではあるが、押圧する凸条に引っかかったり、折り曲げ部分が元の状態に復帰せず垂れ下がらない場合がある。特に、保持部分に余裕を持たせるために押し込み量を深くする場合や、復元力の弱い柔らかい紙質を使用する場合には顕著である。
【０００５】
本発明は、上述したこれらの問題点を克服したロールペーパーホルダーに関するもので、ロールペーパーをロールペーパーホルダーから必要な長さだけ引き出して切断する際、ロールペーパーに直接触れることなくロールペーパーを切断し、切断後いかなる紙質のロールペーパーであってもロールペーパー端部を常にロールペーパーホルダーから所定の長さだけ安定して引き出し、ロールペーパー先端部を開放した状態にすることが出来ると共に、ロールペーパーを切断する歯部が露出するのを防ぐための安全装置を設けることで、極めて安全に操作することが出来るロールペーパーホルダーを提供することを目的とする。
【発明の開示】
【課題を解決するための手段】
【０００６】
前記目的を達成するために、本発明のロールペーパーホルダーは、引き出されたロールペーパーの表裏両側から互いに向かい合わせて裏面部材とカバー部材とを開閉可能に併設し、前記裏面部材とカバー部材のうちの一方には略水平方向に伸びる凸部を、他方には該凸部を陥入させる陥凹部を設け、前記裏面部材とカバー部材のいずれか一方には先端歯部を設け、また前記陥凹部には伸縮部材を設ける。  また、これに変わる別の構成として、カバー部材に、ロールペーパーの一部を跳ね上げる跳ね上げ部材を設ける。
更に前記カバー部材には下端部にストッパーと、前記先端歯部が出入りできるように配置したバネ部材付き跳ね板と、該跳ね板を前記カバー部材側から跳ね板受け部で受けると共に前記跳ね板に押し当てもしくは離反する方向においてスライド可能なスライダーと、該スライダーのスライドを規制するバネ部材と、該バネ部材の一端を固定するバネ固定部材とを設ける。
【発明の効果】
【０００７】
本発明によれば、ロールペーパー端部をロールペーパーホルダーから引き出して切断する際、安全にロールペーパーを切断できると共に、切断後はいかなる紙質のロールペーパーであっても、次回把持するために必要な長さを安定して形成し、ロールペーパー先端部を開放した状態にすることが出来るため、取り出しが極めて容易になるという効果がある。更に、ロールペーパーを切断する歯の露出を防ぐ安全装置によりきわめて安全に取り扱えるという効果がある。
【発明を実施するための最良の形態】
【０００８】
本発明に係るロールペーパーホルダーは、ロールペーパー端部３aをロールペーパーホルダー内のロールペーパー３から引き出し、ロールペーパー受け軸５の上を滑らせ、ロールペーパーホルダーの前側に設けられた裏面部材６とカバー部材８の間を通過させセットする。次に、必要な長さを取り出し切断した際、切断後にロールペーパー先端部３ｂが次につまみやすい長さだけ引き出され、開放した状態にすることが出来るロールペーパーホルダーを実現したもので以下に詳細を記載する。
【実施例】
【０００９】
図１は本発明に係るロールペーパーホルダーの側面図であり、保持軸２に取り付けられたロールペーパー３から引き出されたロールペーパー端部３ａはロールペーパー受け軸５の上を滑らせ、ロールペーパーホルダー前側の裏面部材６において略水平方向に共に滑らかで帯電のない凹部を有する裏面部材凹部６ａの前面を通過させる。該裏面部材凹部６ａには図２に示されるように該凹部を覆うようにコイルバネ６Ａが取り付けられている。更に裏面部材６の前方にはロールペーパー端部３ａを挟み、前記裏面部材６の裏面部材凹部６ａにかみ合う形状のカバー部材凸部８ｄを設けたカバー部材８が併設されている。
【００１０】
カバー部材８は側方（紙面に垂直方向）から見ると略中間部で折り曲げられた形状をしており、図７に示されるように中間部をはさんで一端に円柱状のコイルバネ第２固定部材１２が設けられ更に中間部寄りには切り欠き部８ａが設けられた左右２片の軸部８ｂと、前記裏面部材凹部６ａにかみ合う形状の凸部を設けたカバー部材凸部８ｄを有し前記２片の軸部８ｂ間を連結する連結部８ｃとから成り立っている。更に、前記２片の軸部８ｂ間を連結する連結部８ｃの端部には鋸歯状の先端歯部１０と、該先端歯部１０に沿ったバネ部材４ａ、４ｂ、４ｃにより支えられた跳ね板１１が設けられている。
【００１１】
一方、左右２枚の側面カバー１間には図２に示されるように２枚の側面カバー１をつなぐ様にロールペーパー受け軸５が取り付けられ、更に該ロールペーパー受け軸５の上方には前記２枚の側面カバー１のそれぞれ内側に円柱状の凸部を有する支点部材９が設けられている。
【００１２】
次に、前記カバー部材８はロールペーパーホルダーを形成する２枚の側面カバー１の間に取り付けられているが、該カバー部材８は前記２枚の側面カバー１のそれぞれにあけられたスリット上のガイド孔１５に前記２本のコイルバネ第２固定部材１２をそれぞれ差し込み、前記切り欠き部８ａを前記支点部材９に嵌めた状態でセットする。前記ガイド孔１５の形状は、セットされたカバー部材８を支点部材９を中心に揺動し、前記裏面部材凹部６ａと前記カバー部材凸部８ｄとを、前記保持軸２に取り付けられたロールペーパー３より引き出されたロールペーパー端部３ａの表裏両側から向かい合わせて閉じ、ロールペーパー端部３ａをコイルバネ６Ａを介して互いにかみ合わされる凹凸間に挟みこむと共に前記ロールペーパー端部３ａを先端歯部１０で裏面部材６に押し付けた際にたどるコイルバネ第２固定部材１２の軌跡に沿った形状になっている。            またコイルバネ第２固定部材１２の先端とロールペーパーホルダーの側面に取り付けられたコイルバネ第１固定部材１３間にはコイルバネ１４が取り付けられ、カバー部材８の軸部８ｂを引き付けている。
【００１３】
次にロールペーパーの切断について述べる。ロールペーパーの先端部３ｂを持ち必要な長さだけ引き出した後、カバー部材８の下端部を押し、図１の破線で示すようにカバー部材８を裏面部材６に押し付ける。この際、図９で示されるようにカバー部材８は支点部材９を中心に回転し、コイルバネ第２固定部材１２は該コイルバネ第２固定部材１２に取り付けられたコイルバネ１４の伸びに抗しながら側面カバー１にあけられたガイド孔１５に沿って移動する。この際ロールペーパー端部３ａはコイルバネ６Ａを介して前記裏面部材凹部６ａと前記カバー部材凸部８ｄの凹凸とがかみ合った部分で挟まれ、凹凸にならった形状となると共に、前記ロールペーパー端部３ａは前記バネ部材４ａ、４ｂ、４ｃにより支えられた跳ね板１１により裏面部材６の下部に設けられた台座７に押し当てられ、さらには先端歯部１０により前記台座７の下部にも押し当てられる。
【００１４】
なお、前記跳ね板１１や台座７の表面に摩擦力を増す表面加工を施すか、もしくは摩擦力を高める部材を付加するとすべり防止効果が高められる。
次にこの状態で、引き出されたロールペーパー端部３ａを先端歯部１０で切断する。切断後、カバー部材８から手を離すと該カバー部材８は前記コイルバネ１４の復帰力で初期の状態に戻る。
【００１５】
図１８はその際の先端歯部１０ならびに跳ね板１１の動きと働きを示したもので、図１８Ａ、図１８Ｂ、図１８Ｃはそれぞれ先端歯部１０の押し当て前、先端歯部１０を押し当ててロールペーパー先端部３ｂを保持して切断する際、切断後押当て前の状態に復帰する直前の各様子を示しており、特に図１８Ｃの押し当て前の状態に復帰する直前には先端歯部１０に絡んだロールペーパー切断部が跳ね板１１により剥がされる様子が示されている。すなわち先端歯部１０にはロールペーパー切断部が絡みそのまま引き上げられることがあるが、予め跳ね板１１の位置が先端歯部１０の先端部よりも出っ張った位置にセットされているため、先端歯部１０による押し当てが解かれた直後は未だ跳ね板１１による押し当てが解かれていないので切断部のからみが解かれる。そうしてその後に跳ね板１１が初期の位置に復帰する。
【００１６】
次に、ロールペーパー端部３ａの動向であるが、カバー部材８が裏面部材６から分離することによりロールペーパー端部３ａはコイルバネ６Ａの復元力により裏面部材凹部６ａから押し出され、ロールペーパー先端部３ｂも先端歯部１０と台座７から開放され、前記裏面部材凹部６ａに挟まれた長さに対応した長さだけ切断位置から垂れ下がり、次回ロールペーパー先端部３ｂがつまみやすい状態になる。
なお、前記裏面部材凹部６ａにより形成される垂れ下がりについては、凹部の深さや数量に左右されることは明白であるが、つまみやすさを考慮すれば、垂れ下がった部分の長さは２０ｍｍ以上、好ましくは３０ｍｍ以上となるようにすることが好ましく、これは前記表面部材凹部６ａの深さと数量との組み合わせで決定される。たとえば、複数の半円筒（それぞれの半径をr1、r2、・・・とする）で構成する等価円に換算して計算することが可能で、前記垂れ下がり量を数式で示すと、（π−2）×（r１＋r2＋・・・）≧２０となる。
また、前記保持軸２に取り付けられたロールペーパー３から引き出されたロールペーパー端部３ａをロールペーパー受け軸５の上に滑らせる際には、図１０の破線で示すように、カバー部材８を、コイルバネ第２固定部材１２を軸として回転して持ち上げることにより作業が容易になる。
【００１７】
次に各部の別の実施例について述べる。図３は裏面部材凹部６ａに類する別の実施例で、前記コイルバネ６Ａのかわりに凹部をスポンジなどのクッション材６ｂで覆ったものである。これにより、カバー部材８の下端部を押し、カバー部材凸部８ｄを裏面部材凹部６ａに押し付けるとロールペーパー端部３ａはクッション材６ｂを介して前記裏面部材凹部６ａとカバー部材凸部８ｄの凹凸にならった形状になって挟まれる。前記ロールペーパー端部３ａを切断後、カバー部材８から手を離すとカバー部材凸部８dで押されたロールペーパー端部はクッション材６ｂの復元力で押付け前の形態に戻る。図４は前記クッション材６ｂの横幅を制限してロールペーパー端部３ａとクッション材６c両部材間の接触部分を少なくしてロールペーパー端部３ａとクッション材６ｃとの分離を容易にすると共にカバー部材を押す力を弱くしたものである。図５と図６とはそれぞれ図３と図４との変形例で、分離されていたクッション材６ｂならびにクッション材６ｃをそれぞれ略垂直方向に単一のクッション部材６ｄと６ｅとして簡略化したものである。
【００１８】
図１１は前記カバー部材８の形態ならびに揺動機構について別の実施例を示したもので、前記左右２つの軸部８ｂに取り付けられていたコイルバネ１４の代わりに錘１６を埋め込んだものである。これにより前記錘１６の重力の作用が前記コイルバネ１４と同等の働きをするためコイルバネやコイルバネ固定部材を省き単純な構造にすることができる。また、カバー部材８の凹部にはコイルバネ８Ａを付加しており、裏面部材６のコイルバネ６Ａとの組み合わせにより、変形したロールペーパー端部３ａの復元をより確実にまた効果的に行うことが出来る。
【００１９】
図１２は前記カバー部材８の形態ならびに揺動機構についての別の実施例で、カバー部材１７は支点１８を軸にして回転する機構としている。前記コイルバネ第２固定部材１２、コイルバネ第１固定部材１３にかえてそれぞれ、コイルバネ第２固定部材１９、コイルバネ第１固定部材２０が設けられており、これにより更なる小型化が可能になる。なおこの際前記ガイド孔１５の位置は前記コイルバネ第２固定部材の軌跡に合わせて変更されることは言うまでも無い。
更に、カバー部材８や裏面部材６の凹部には板バネや各種バネ部材を介した板材などを設けても前記コイルバネと同様の効果が得られることは言うまでもない。
【００２０】
次に、前記実施例ではロールペーパー３は保持軸２で保持されていたが、保持軸２を省くことが出来る。図１３はロールペーパーホルダー筐体部分の実施例で、背面２１Ａ、底面２１Ｂ、左右二枚で一対の側面２１ならびに前面２２で構成している。ここで、裏面部材６６ならびにカバー部材８８の形状はそれぞれ前記裏面部材６ならびに前記カバー部材８の形状の、凹凸部の数を増やしてロールペーパー切断後のロールペーパー先端部の垂れ下がり量を増やす工夫をしたもので、ロールペーパー端部３ａの表裏両面から、カバー部材８８の凹部ならびに裏面部材６６の凹部のそれぞれに付したコイルバネ８Ｂと６Ｂとを介して挟み込んでいる。
またカバー部材８８はロールペーパー先端部３ｂを更に引き下げる目的でその下端部がロールペーパー側にＬ字型に曲げられた先端歯部１０Ａが設けられている。
ここで前記カバー部材８８に設けられたバネ板１１Ａと先端歯部１０Ａとでロールペーパー端部３ａを奥まった箇所に設けた台座７Ａに押し当て、ロールペーパーを切断する。
【００２１】
なお、ロールペーパー３は開放された上部から矢印の様に投げ入れて保持するもので、この際底面２１Ｂに傾斜を設けることによりロールペーパーがロールペーパー３Ａのように消費減少した場合でもロールペーパーを安定して保持することが出来る。なお傾斜の方向については、図１３のように上方から引き出す場合には前方を低く、逆に下方から引き出す場合には後方を低くすればロールペーパーの回転が安定し、ロールペーパー切断後にロールペーパー先端部が持ち上がる不都合もない。
【００２２】
図１４は前記図１３の変形例で、前記裏面部材６６と前記カバー部材８８に設けられた凹部にそれぞれスポンジなどのクッション材６Ｃならびにクッション材８Ｃをはめ込んだものである。
【００２３】
図１５はカバー部材の開閉に関する別の実施例で、前記支点部材９を無くし、カバー部材８８を直接ロールペーパー受け軸５の上で回転させている。これにより、前記カバー部材８８が支点部材を中心に回転する配置に比べより装置を簡略化することが出来る。ここで、ロールペーパーは左右二本で一対のアーム８８ｂの間を通過し、該アーム８８ｂで押えられることはない。
【００２４】
図１６は別の実施例で、カバー部材１７Ａは新たな支点１８を中心に回転する構造になっている。この例では、前記カバー部材１７Ａの下端に先端歯部１０Ｂを配し、該先端歯部１０Ｂの近傍にはカバー部材１７Ａの平面図である図１７に示されるようにペアーで配置された２本のコイルバネ４Ａ、４Ｂ、ならびに３本のコイルバネ４ａ、４ｂ、４ｃが設けられており、前記２本のコイルバネ４Ａ、４Ｂと、台座７Ａとにより裏面部材６６とカバー部材１７Ａとの間隔を形成している。ここで、ロールペーパー端部３ａは前記２本のコイルバネ４Ａと４Ｂの間を通過している。また、３本のコイルバネ４ａ、４ｂ、４ｃは図１に示されるコイルバネ４ａ、４ｂ、４ｃと同じ働きをするものである。なお、前記２本のコイルバネ４Ａ、４Ｂ、ならびに３本のコイルバネ４ａ、４ｂ、４ｃの端部にはそれぞれ跳ね板が付けられている。
【００２５】
このように初期の状態ではロールペーパー端部３ａはコイルバネ６Ｂを付加した裏面部材６６とコイルバネ８Ｂを付加したカバー部材１７Ａとが形成する空間で自由に開放されるが、この状態からカバー部材１７Ａの下部を押すと、裏面部材６６の凹凸とカバー部材１７Ａの凹凸部が互いにかみ合いながら閉じられ、２本のコイルバネ４Ａと４Ｂは圧縮される。さらに、３本のコイルバネ４ａ、４ｂ、４ｃは前記台座７Ａとの間でロールペーパー端部３ａを保持し、先端歯部１０Ｂにより台座７Ａに押し付けられる。この状態でロールペーパー端部を保持して引きロールペーパーを切断する。カバー部材１７Ａの押し付けを解除すると、該カバー部材１７Ａは前記２本のコイルバネ４Ａと４Ｂとで支えられた初期の状態に戻り、ロールペーパー先端部３ｂが裏面部材６６とカバー部材１７Ａの隙間から垂れ下がった状態になる。
【００２６】
図１９は引き出されたロールペーパーを先端歯部で自動的にカットする実施例で、先端歯部２５ならびに跳ね板２８ａ、２８ｂの動きと働きを示している。図１９Ａで、水平方向に長い溝部２３ａを有する裏面部材２３と、何れも水平方向に長い先端歯部２５、ストッパー２６、前記先端歯部２５を挟みそれぞれにバネ部材２７ａ、２７ｂが付された跳ね板２８ａ、２８ｂを有するカバー部材２４とが対峙し、裏面部材２３と跳ね板２８ａ、２８ｂの間をロールペーパー端部３ａが通過している。
【００２７】
図１９Ｂはロールペーパーを必要な長さだけ引き出した後、カバー部材２４を裏面部材２３に押し付けた状態であり、バネ部材２７aと２７bとがそれぞれ取り付けられた跳ね板２８aと２８bとによってロールペーパー端部３aを裏面部材２３に押し付けた状態で先端歯部２５が溝部２３ａに挿入され、ストッパー２６が裏面部材２３に接することにより停止する。この際ロールペーパー端部３ａは溝部２３ａに挿入される先端歯部２５により切断されることになる。なお、この際先端歯部２５よりも前方に置かれていた前記２つの跳ね板２８ａと２８ｂとによってロールペーパー端部３ａが固定されるため安定した切断が可能になる。図１９Ｃはカバー部材２４が押し付け前の状態に復帰する直前の状態を示したもので、ロールペーパーが切り取られた後、先端歯部２５に絡んだロールペーパー切断部が跳ね板２８ａ、２８ｂにより剥がされる様子が示されている。すなわち通常先端歯部２５にはロールペーパー切断部が絡みそのまま引き上げられることが往々にしてあるが、跳ね板２８ａ、２８ｂによるロールペーパー端部３ａの保持がまだ解かれていないので絡みの部分が解かれる。その後、カバー部材２４は初期の位置に復帰する。
【００２８】
なお、この際のロールペーパー端部３ａの動向であるが、前記カバー部材２４が前記裏面部材２３から分離することによりロールペーパー端部３ａは裏面部材とカバー部材とで挟まれた凹凸部の長さに応じた長さだけ切断位置から垂れ下がることになり、次回ロールペーパーの先端部がつまみやすい状態で開放される。
【００２９】
なお、図１９に示す前記例ではバネ２７ａ、２７ｂ付きの跳ね板２８ａ、２８ｂや先端歯部２５をカバー部材に設け、溝部２３ａを裏面部材２３に設けたが、逆にバネ付きの跳ね板や先端歯部を裏面部材に設け、溝部をカバー部材に設けても良い。
【００３０】
図２０は図１９に示された実施例の変形例で、裏面部材２３にスポンジ２９ａ、２９ｂがそれぞれ付加された跳ね板３０ａ、３０ｂを設け、カバー部材２４にスポンジ３８ａ、３８ｂ付きの跳ね板２８ａ、２８ｂを互いに向かい合うように設けたものである。これによりロールペーパー切断後、ロールペーパー先端部３ｂが溝部２３ａに残った場合でもこれらを簡単に押し出す構造になっている。なお、図２０Ａと図２０Ｂとはそれぞれ先端歯部２５がカバー部材２４にある場合と、逆に裏面部材２３にある場合とをしめしている。また、この実施例においても開放時の前記跳ね板２８ａ、２８ｂの位置は前記先端歯部２５の位置よりも出っ張っていることは言うまでも無い。
更に、前記実施例において跳ね板２８ａ、２８ｂは独立しているが、一部でつながり一体化されていても良い。
【００３１】
図２１は図１９ならびに図２０に示す先端歯部２５の水平方向の形状を示すもので、図２１Ａの先端歯部２５Ａの端部は山谷共に刃状で単調な鋸歯状をなしており、図２１Ｂの先端歯部２５Ｂでは２種類の山の高さが交互に形成され、ロールペーパー切断時の初期の食いつき圧力を相対的に弱める働きをしている。なお、この場合山の高さの数を増やしたり、山の形状や配列を変えることも可能である。
【００３２】
図２３はロールペーパー切断機構を示す別の実施例である。カバー部材２００は支点（不図示）を中心に回転し２００Ａのように裏面部材２０２と重ねあわされるが、このとき先端歯部２０６とバネ部材２０５に取り付けられた跳ね板２０４とは支点を中心とした円弧２０７に沿って移動し、前記跳ね板２０４は裏面部材２０２に設けられた台座２０３に接触する。具体的には円弧状のガイド部材２０８や溝などに沿って先端歯部２０６ならびにバネ部材２０５がスライドする。これにより円弧を描くガイドがない場合に生じる跳ね板２０４と台座２０３間の横滑りを無くしている。なお、台座２０３も円弧状に張り出した形状にすることが考えられるが、こちらは跳ね板２０３との接触位置さえ確保されていれば必ずしも円弧状である必要はない。
【００３３】
図２４は前記カバー部材の円弧移動に対して、円弧を描くガイド部材などを設けることなく前記横滑りを吸収する手法を示す実施例であり、裏面部材２０２と台座２０８の間に所定の厚さのクッション部材２０９を挟みこんで上下方向の微小な振れや傾きによる跳ね板２０４と台座２０３との密着ずれを吸収させている。
【００３４】
更に本発明の追加するべき実施例として、図３０はロールペーパーホルダーを構成するカバー部材１７１の詳細な構成を示すもので図３０Ａと図３０Ｂとはそれぞれ平面図及び側面図を示している。
前記カバー部材１７１はその面上に二つの凸部１７３と１７４、歯状刃物１７６、ストッパー１７８、二本のガイド支柱１７５ａと１７５b、左右二本のスイングバネ押し支柱１７９ａと１７９bとが設けられ、跳ね板１７７が該跳ね板上の左右二つのガイド孔を介して前記二本のガイド支柱１７５ａと１７５ｂとにスライド自由にはめ込まれている。また、凸部１７４にはすべり面１７４が凸部１７４の稜線に沿って付加されている。
更に、カバー部材１７１の両側には左右二つのアーム１７０ａならびに１７０ｂが設けられ、それらの端部には二つの支軸１７２ａならびに１７２ｂがそれぞれ軸を共通にして設けられている。
【００３５】
図３１は前記カバー部材１７１を含めたロールペーパーホルダー全体の構成を示すもので、左右一対の側面カバー１８０ａと１８０ｂ、後側が低くなるように傾斜した底板１８１、裏面部材上の二つの凸部１８３および１８４、上下二つの台座面１８６ａと１８６ｂとをそれぞれ有する二つの台座１８５ａと１８５ｂとを固定台１８９上に有する本体部１８８、前記左右二つの側面カバー１８０ａと１８０ｂとにそれぞれ設けられた孔部（不図示）に二つの支柱１７２ａと１７２ｂとをそれぞれ挿入して回転するカバー部材１７１が示されている。
【００３６】
次に図３１に係るロールペーパーホルダーの動作について述べる。まずロールペーパー（不図示）を手前への引き出しが下側になるように、手前が高く設定された底板１８１の上に乗せロールペーパーの端部を引き出し、左右二つの側面カバー１８０ａと１８０ｂとの間に回転可能に渡されたローラー１８２の上側を介してカバー部材１７１の上に該カバー部材１７１全体を覆うように載せる。次に前記カバー部材１７１を支軸１７２ａ、１７２ｂを中心に回転しながら持ち上げる。このときカバー部材１７１と左右二つのアーム１７０ａ及び１７０ｂとの間は空間になっているためこの動作により前記ペーパー端部は前記左右二つのアーム１７０ａならびに１７０ｂと、カバー部材１７１とで囲まれた空間に滑り落ち、本体部１８８に設けられている二つの凸部１８３および１８４と、カバー部材１７１上の二つの凸部１７３と１７４に挟まれた空間に垂れ下がる。
【００３７】
ロールペーパーを使用する際には上記ロールペーパーの端部をつまんで下方に適量引き、カバー部材１７１を本体部１８８に向けて押付ける。これによってロールペーパーは本体部１８８に設けられている二つの凸部１８３および１８４と、カバー部材１７１上の二つの凸部１７３と１７４とで形成される凹凸に沿ったたるみ成分が作られると共に、跳ね板１７７の二つの跳ね板端面１７７ａならびに１７７ｂと二つの台座面１８６ａならびに１８６ｂとで挟み込まれる。
【００３８】
即ち、跳ね板１７７は二つのガイド支柱１７５ａと１７５ｂとにはめ込まれたバネ部材（不図示）の反発力に抗しながらロールペーパーを挟み込んだ状態でカバー部材１７１の方向に移動しする。このとき、跳ね板１７７に設けられたスリット状隙間からは歯状刃物１７６が飛び出しロールペーパーを切断する。なお、この際カバー部材１７１はストッパー１７８が本体部１８８の固定台１８９に突き当たることにより停止する。
【００３９】
図３２は前記跳ね板や台座の構造ならびにロールペーパーの切断過程を更に詳細に説明したもので、図３２Ａは手を触れない状態で、二つの台座面１９１ａならびに１９１ｂをそれぞれ端面に有する台座１９０ａならびに１９０ｂと、該台座に対して向かい合わせに二つの跳ね板端面１９２ａならびに１９２ｂとを有する跳ね板１９２が配置され、更に前記跳ね板には前記二つの跳ね板端面１９２ａならびに１９２ｂの間にスリット面１９２ｃが設けられ、前記跳ね板１９２に覆われて外から指などの進入が防止された形で歯状刃物１９３がセットされている。
【００４０】
次に前記台座面ならびに跳ね板端面を正面側から観察した状況を図３２Ｂに示す。ここで、空間を挟んで並んだ二つの台座面１９１ａならびに１９１ｂはそれぞれ、滑り止めを施した非平滑部１９１ａ′と引っ掛かりの無い平滑部１９１ａ″ならびに滑り止めを施した非平滑部１９１ｂ′と引っ掛かりの無い平滑部１９１ｂ″とで構成され、前記両平滑部は共に前記空間側に配置されると共に、前記非平滑部よりも狭くなっている。
【００４１】
一方、空間を挟んで並んだ二つの跳ね板端面１９２ａならびに１９２ｂはそれぞれ、滑り止めを施した非平滑部１９２ａ′と引っ掛かりの無い平滑部１９２ａ″ならびに滑り止めを施した非平滑部１９２ｂ′と引っ掛かりの無い平滑部１９２ｂ″とで構成され、前記両平滑部も共に前記空間側に配置されると共に前記非平滑部よりも狭くなっている。また、跳ね板１９２にはスリット１９２ｃが設けられているがその奥には歯状刃物１９３があり、ロールペーパー切断時には前記スリット１９２ｃから飛び出すことになっている。
【００４２】
更に、図３２Ｃで示すように、跳ね板１９２とストッパー１９４との間には所定の空間を持たせ、ロールペーパー切断時に跳ね板１９２が移動してもペーパーの巻き込みによるペーパーの詰まりが無いようにしている。なお、ストッパー１９４を引き出されるロールペーパーのガイドと兼ねさせることも可能であり、その際は前記ストッパー１９４の一部にロールペーパーの幅に合わせたガイド溝を設けることも可能である。また、ストッパーを歯状刃物の遮蔽用として外部から指などの進入を防御する目的を兼ねて用いることも出来る。更に、前記ロールペーパーのガイドなどの機能を付加しない場合、ロールペーパーよりも外側の一箇所もしくは複数箇所にストッパー単体として設けることが出来、この際はロールペーパーの巻き込みは発生しないので前記空間の設定は不要である。
【００４３】
更に、ロールペーパー切断時には、台座１９０ｂは台座１９０ａと共同でそれぞれの台座面を使って前記跳ね板端面との間でロールペーパーを挟み、前記歯状刃物１９３をスリット１９２ｃから前記二つの台座面１９１ａならびに１９１ｂの間に突き出すが、切断時に細かなペーパーの切り屑が発生しても隙間に詰まることが無いように図３２Ｄの１９０ｂ-1、１９０ｂ-2、１９０ｂ-3で示すように、台座面１９１ｂにはスリット状の隙間を形成している。
【００４４】
なお、前記説明の中で、台座面ならびに跳ね板端面の非平滑面は細かな線状であったり粒状であったり形態は自由であり、平滑面と非平滑面の比重も特に限定するものではない。また、台座面１９１ｂのスリット状の隙間もスリットである必要は無く細かなペーパーの切り屑が通過できる形態であれば大きさや形状は自由で良い。
【００４５】
さて、図３１の説明に戻るが、その後、カバー部材１７１から手を離すと該カバー部材１７１は元の位置、即ち少し浮き上がった状態に復帰する。その内容は図３４にも示すが、本体部１８８には左右二つのスイングバネ１８７ａならびに１８７ｂが設けられており、前記カバー部材に設けられた左右二つのスイングバネ押し支柱１７９ａと１７９bとを押し返すことにより前記復帰が達成される。
【００４６】
なお、前記復帰時における前記本体部に設けられた二つの凸部ならびに前記カバー部材に設けられた二つの凸部の位置関係であるが、前記本体部１８８に設けられた二つの凸部１８３と１
８４の先端部を結ぶ直線、ならびに前記カバー部材１７１に設けられた二つの凸部１７３と１７４の先端部を結ぶ直線については共に略鉛直方向を向いて並んでおり、ロールペーパーの挟み込みと開放が無駄なく効率よく行えるようになっている。
【００４７】
ここで、通常バネ部材は曲げられる量が多くなるにつれて反発力が強く、即ち多く押し込むにしたがって押す力が重くなるが、図３３にこれを解消した前記左右二つのスイングバネ１８７ａならびに１８７ｂの形態を示す。
左右一対の支軸１７２ａならびに１７２ｂを軸として回転可能なカバー部材１７１は該カバー部材１７１に設けられた左右一対のスイングバネ押し支柱１７９ａおよび１７９ｂが本体部（不図示）に設けられた左右二つのスイングバネ１８８ａならびに１８８ｂとで支えられている。ここで、前記二つのスイングバネ１８７ａならびに１８７ｂは左右共に基端部１８８ａ-１ならびに１８８ｂ-１、折れ曲がり部１８８ａ-２ならびに１８８ｂ-２、先端部１８８ａ-３ならびに１８８ｂ-３とでそれぞれ構成されている。
【００４８】
次に、カバー部材１７１を押し込んだ場合、スイングバネ１８８ａ-１ならびに１８８ｂ-１はそれぞれスイングバネ押し支柱１７９ａ、１７９ｂに押され変形移動し１８８ａ-1′、１８８ｂ-１′に、スイングバネ１８８ａ-３ならびに１８８ｂ-３はそれぞれスイングバネ押し支柱１７９ａ、１７９ｂに押され変形移動し１８８ａ-３′、１８８ｂ-３′のように移動するが、このときスイングバネに折れ曲がり部があるためスイングバネ押し支柱がスイングバネの上を滑り、スイングバネは折れ曲がり部が無い場合の本来の曲がりよりも少なくなり、カバー部材の振幅が大きくなった場合にも比較的バネの応力は少なくてすむ。
【００４９】
次に、カバー部材を押し込むことによってロールペーパーのたるみ成分を形成するその詳細について述べる。図３４Ａで本体部１８８に形成された凸部１８３ならびに１８４の間に形成された凹部には押し出しバネ２１０で支持された押し板２１１が設けられており、カバー部材を押すことにより、カバー部材に設けられた凸部はロールペーパーをはさみながら前記押し板２１１を押しこむ。このとき押し出しバネ２１０は押されて変形し、カバー部材から手を離すと元に復帰することは言うまでも無い。なお、この押し出しバネ２１０の存在であるが、前記図３１の滑り面１７４は本体部１８８の凸部で押されたロールペーパーを滑り落す作用を有するも、前期凸部の配置場所や深さや形状、さらにはカバー部材の振れ幅などにより必ずしもこれだけで充分とはいえず、介助手段としての作用も含め必要になってくるものである。
【００５０】
図３５は押し出しバネ２１０の詳細について記載したものであり、図３５Ａ、図３５Ｂ、図３５Ｃはそれぞれ上面図、平面図、側面図を示し、図３５Ｄ、図３５Ｅはそれぞれ押されて変形した状態の平面図と側面図である。ここで、前記押し出しバネ２１０の一端には二つのネジ穴２１０ａ、２１０ｂが設けられネジ（不図示）で固定台１８９に固定される。また、押し出しバネの先端部には押し板２１１が固定され、押し板２１１は前記固定台と水平に保たれている。また押し板２１１は押し出しバネ２１０の長さ方向に沿った両端部２１１ａ、２１１ｂが持ち上がっており、カバー部材の凸部によりロールペーパーが押し込まれた際、カバー部材の凸部に馴染みやすく、押し板の端部にロールペーパーがからみにくくしてある。
【００５１】
図２２はロールペーパー切断機構の別の実施例で、図２２Ａに示されるように、裏面部材３３には水平方向に伸びるコの字型の凹部３３Ａが形成され、２本のバネ部材３７ａ、３７ｂが前方に向けて設けられそれぞれの端部には跳ね板３６ａと３６ｂとが付加されている。また、前記コの字型の凹部３３Ａの内側下面には下側板歯３４が２つのバネ部材３５ａ、３５ｂで保持されており、該下側板歯３４は図２２Ｃの平面図で示されるように内側に切れ込んだ端部３４ｂを持ち、側方両端には切れ込みを挟んで傾斜部３４ａを有している。
【００５２】
一方、カバー部材３１の下端部には前記跳ね板３６ａと３６ｂとが共に突き当たる跳ね板受け３１ｂと先端歯３２を有している。ここで、裏面部材３３とカバー部材３１とを閉じると、図２２Ｂに示されるように、前記カバー部材３１の先端歯３２は前記バネ部材３７ａと３７ｂのそれぞれに付加された跳ね板３６ａと３６ｂに抗しながらロールペーパー端部３ａを押しつつ前記下側板歯３４の傾斜部３４ａを伝って進み、前記下側板歯３４の端部３４ｂとの接触により鋏の要領で前記ロールペーパー端部３ａを切断する。ロールペーパー切断後はカバー部材３１を裏面部材３３から離反させるが、前記コの字型の凹部３３Ａに押し込まれた切断後のロールペーパー先端部３ｂは前記跳ね板３６ａと３６ｂとにより前記コの字型の凹部３３Ａから押し出される。
【００５３】
更に本発明の追加するべき実施例として図２５はロールペーパーホルダーの別の構成を示す実施例である。ロールペーパーは前側が高くなるように設けた底板１１２の上にペーパーの引き出しが下側になるように直接乗せられる。次に、引き出されたペーパーはローラー１１３を介してカバー部材の凸部１０３と裏面部材の凹部１０２の間に通して垂下させる。次に、カバー部材をストッパー１０８が裏面部材に突き当たるまで水平方向に押しこむと、ペーパーはカバー部材の凸部１０３と裏面部材１０２の凹部によりたるみ部分が形成され、更に跳ね板１１０と台座１１１で挟まれ先端歯部１０９で切断される。
【００５４】
このあと、カバー部材１０１から手を放すとカバー部材はもとの位置に戻りペーパー先端部がたるみとなって垂れ下がる。ここで、前記カバー部材１０１にはガイド板１０７ならびにストッパー１０８が設けられているが、両者には図２５Ｂに示すようにガイド側面１０７aならびに１０８aを有するペーパーガイド部が設けられている。このため、カバー部材１０１を押し込んだ際は、図２５Ｃで示されるように切断されるペーパーはペーパーガイド部に納まり横ずれを生じない。但し、ペーパーガイドは、位置、形状、数量など限定されるものではなく、カバー部材の凸部１０３の側方に沿って長く設けることも可能である。なお、前記ガイド側面間隔はストッパー１０８よりもガイド板１０７において多少狭くしておくとスムーズな垂れ下がりがなされるので好ましい。
【００５５】
更に本発明の追加するべき実施例として、図２６は伸縮部材による強制的な押し出しを省いた場合のたるみを発生させる機構である。裏面部材１３３とカバー部材１３１のそれぞれの凹凸部を嵌め合わせることにより裏面部材１３３とカバー部材１３１の両部材で挟まれたペーパー１３５にたるみを形成し、先端歯部１３２を台座１３４に当接させてペーパーを切断する。次に前記両部材の嵌めあいを開放することにより、ペーパーに垂れ下がりが発生する。なお、この際切断位置をペーパー垂れ下がり位置よりも奥もしくは手前に設定すると、切断された残りのペーパーは自重により歯離れが良い。
【００５６】
ここで、凹部ならびに凸部の傾斜とペーパーのすべりを考察すると、帯電のない状態でペーパーが耐湿性を有する湿気の無い平滑な板から滑り落ちるに必要な傾斜角は、ロールペーパーとしてトイレットペーパーを例に取ると紙質の違いにもよるが３０度〜４０度必要であった。このことからトイレットペーパーを単体で滑らせる場合にはすべり面の傾斜は３０度以上必要である。
【００５７】
なお、前記傾斜角はペーパーが全て一つの傾斜面上に乗って滑っている場合であって、本願のように傾斜部が複数あり傾斜の最終端からペーパーの切断位置までの開放部分（空中に浮いている部分）が存在する場合には様子が異なる。
即ち、図２６において最終傾斜部上のペーパーの長さ１３５ａから１３５ｂと傾斜端から切断位置までの長さ１３５ｂから１３５ｃとが略同じ場合は微小な傾きでも滑り落ち、長さにおいて  長さ１３５ａから１３５ｂ＜長さ１３５ｂから１３５ｃであれば傾斜端が滑らかであれば略水平でも滑り落ちる。ただ、これらは理想的なケースであり先端歯部への絡みつきなどで条件通りには行かない場合もあるが、最終傾斜部の存在とペーパーの長さ
長さ１３５ａから１３５ｂ＜長さ１３５ｂから１３５ｃ
の関係付けは一つの目安となる。また、以上からθ４＞θ２＞θ３＞θ１で良く、ペーパーの長さの配分次第ではθ３やθ１は０（ゼロ）に近くても良い。なお、ここではカバー部材１３１や裏面部材1-１３３における凹部ならびに凸部についてのみ述べたが、その他ペーパーを挟む領域に介在する部品などにも適用されることは言うまでもない。
【００５８】
更に前記たるみを形成する本発明の追加するべき実施例に言及する。図２７はたるみを作り出す別の実施例である。カバー部材１４１は図２７Ａに示すように左右一対のアーム１４１Ａを有し、回転軸１４４を中心に回転自在に支持されている。また、前記左右一対のアーム１４１Ａ間には跳ね上げ部材１４２が回転軸１４３を中心に回転可能に配置されている。
【００５９】
次に具体的な動作について説明する。図２７Ｂにおいて、先端歯部１４１aを有するカバー部材１４１は二つのロールペーパー受け軸１４７Ａならびに１４７Ｂの外側に引き出されたペーパー１４９を覆うように保持されている。このとき、左右一対のアーム１４１Ａ間に設けられた跳ね上げ部材１４２は上部を左右一対のコイルバネ１４５の引力によって左右一対のストッパー１４６に押し付けられた状態にある。次にカバー部材１４１を前記先端歯部１４１ａが台座１４８に接触するまで押し込む。このとき、破線で示すように跳ね上げ部材１４２は左右一対のストッパー１４６で押され、回転軸１４３を中心に回転する。これによりペーパー１４９は跳ね上げ部材下端１４２ａにより持ち上げられ、たるみ部１４９ｂを形成する。この状態で引き出されたペーパーの下端１４９ａを把持しペーパーを切断する。
【００６０】
切断後、カバー部材１４１を当初の位置に戻せば、跳ね上げ部材１４２も当初の位置に戻り、形成されていたたるみの部分が垂れ下がる。
なお、図面には表示していないが、裏面部材を跳ね上げられるロールペーパーに倣う形で設けておくとロールペーパーをスムーズに滑らせ、余計なたるみによる引っかかりや詰まりを防止することが出来る。また、ロールペーパーの切断は図３１に示す方法でも良いことは言うまでもない。
また、カバー部材の移動機構についてはこの場での説明を省いたが今までに述べた種々の手法を使用することも言うまでもない。
【００６１】
更に本発明の追加するべき実施例として先端歯部のロック機構が挙げられる。図２８−１はロック機構の一連の動作について示したものである。図２８−１Ａにおいて、カバー部材１５１と裏面部材１５６とは両者の間に引き出されたペーパー（図では省略）を挟んで所定の間隔をおいて対峙しており、カバー部材１５１の下端部にはストッパー１５１ａ、先端歯部１５２、バネ部材１５３、該バネ部材１５３の一端に設けられた跳ね板１５４ならびに、跳ね板１５４を先端歯部１５２側から跳ね板受け部１５５ｂで受けるスライダー１５５、該スライダ１５５のスライドを規制するバネ部材１５７、該バネ部材の一端を固定するバネ固定部材１５８が設けられ、スライダー１５５は跳ね板１５４に押し当てる方向（図では上下方向）においてスライド可能になっている。
一方、裏面部材１５６には台座１５６ａとその上方にコントロール棒１５６ｂが設けられている。
【００６２】
図２８−２Ｇはスライダー１５５の保持部材１５９Ａを示すものであり、略コの字形状をした溝を有しており、この溝を所定の厚さをもったスライダー１５５が摺動する。なお、保持部材１５９Ａの一部には切り欠き１５９ａが設けられており、この部分からコントロール棒１５６ｂが進入し、スライダー１５５を移動させる。更に、安全性を高めるためにスライダを容易に外部からコントロールさせないようにしたものが、図２８−２Ｈに示すものであり、保持部材１５９Ｂは周囲を完全に覆った矩形の筒状となっている。そうしてこの一部にコントロール棒１５６ｂ挿入のための開口１５９ｂが設けられている。
【００６３】
図２８−１Ａの状態からスイングや水平移動の方法などでカバー部材１５１を裏面部材１５６に近づけてゆくと図２８−１Ｂに示すように前記コントロール棒１５６ｂはカバー部材１５１において前記保持部材１５９Ａもしくは１５９Ｂに設けた開口１５９ａもしくは１５９ｂを経てスライド可能に設けられたスライダー１５５の傾斜面１５５ａに接触する。更に、カバー部材１５１を押し込んで行き所定の間隔になると図２８−１Ｃに示すように、スライダー１５５はコントロール棒１５６ｂに押されてバネ部材１５７の反発力を受けながらスライドし、跳ね板受け部１５５ｂは跳ね板１５４から離脱する。また、跳ね板１５４と台座１５６ａとは略接触する位置に近づく。更にカバー部材１５１を押し込んでゆくと、図２８−１Ｄに示すようにストッパー１５１ａは裏面部材１５６に当たり移動が停止される。このときコントロール棒１５６ｂはスライダー１５５の傾斜面１５５ａを外れ落ち込み部１５５ｃに至っており、前記バネ部材１５７の過剰な圧縮やスライダー１５５の過剰な移動はないが、跳ね板１５４はバネ部材１５３に抗しながらカバー部材１５１方向に移動する。この際、先端歯部１５２は台座１５６ａと跳ね板１５４により挟まれ保持されたペーパーを切断する。その後、カバー部材１５１を開放すると図２８−１Ａで示される当初の状態に、全ての部材は復帰する。
【００６４】
なお、前記スライダー１５５やコントロール棒１５６ｂは紙面に垂直方向の厚みを持たせることにより摺動面を形成しているが、互いに摺動関係を維持できるものであれば良く、スライダーに溝を設けた斜面を形成し、この溝に落とし込む関係を持たせた形態も考えられる。また、傾斜面１５５ａの傾きについては直線である必要はなく曲線であっても良い。
【００６５】
また、安全性を更に高めるために、前記ロック機構は複数箇所に配置できることは言うまでもなく、例えばカバー部材１５１の左右両側二箇所に配置することが考えられる。また、先端歯部と台座との関係が逆の場合即ちカバー部材側に台座を設定する場合には、スライダーの位置を逆にすればよい。
【００６６】
なお、更に前記切断に関する部材に言及すると、図２８−２Ｅの跳ね板１５４の構造ならびに図２８−２Ｆのバネ部材１５３の配置から明らかなように、跳ね板１５４には先端歯部１５２が通過できるスリット１５４Ａが設けてあり、両端部にはバネ部材１５３が固定されている。
【００６７】
次に、本発明においてロールペーパーの切断について追加するべき実施例を記述する。即ち、前記図２１で示されたものは、ペーパーの切断については完全に切り落とすものであったが、完全には切り離さないけれども軽く引くだけで簡単に分離する状態にしておくことも可能であり、本引例はその形態を示す。図２９において、図２９Ａは先端歯部１６１によりペーパー１６２を切断した状態であるが、前記先端歯部１６１が特殊な形状をしているために、完全な切断ではなくペーパーの一部がつながった状態にある。図２９Ｂは先端歯部１６１の一つの形態であり、山形歯１６１Ａの連なりの内、谷の一部が深めに切れ込んでいる。このためこの切れ込み１６１Ｂの部分では切断されない。これは、一般にミシン目と呼ばれるものであるが、一般に使われているミシン目と比べ、切れ込み幅１６１ｃはペーパーが自然落下しない程度まで細くしたもので、従来のトイレットペーパーが１．５ミリメートル前後であるものに比べ０．５ミリメートル以下と狭い。これは通常のミシン目は引っ張りのみでは簡単に切断されない様に設定されているのに比べ本願では軽い引っ張りによって切断されるように設定しているためである。
【００６８】
図２９Ｃは先端歯部１６１の変形例で、山形歯１６１Ｃの連なりの内、両端に近い部分二箇所の谷の部分が深めに切れ込んでいる。これによって、切れ込み幅を１．５ミリメートル前後と広めに設定しても、引張りにより簡単に切断することが出来る。ただ、これら切れ込みの位置や数は切れ込み幅との兼ね合いで一個から自由に設定できるものである。
【００６９】
更に、本発明においてロールペーパーの切断について追加するべき実施例を記述する。即ち図３６は鋏による切断方式であり、固定された鋏の一片である固定鋏２２２ａと、対の柄２２１ａ-２を有する移動鋏２２１ａ-１が回転軸２２３ａで鋏を形成している。即ち、この状態は鋏を開いた状態であり、柄２２１ａ-２を押しこみ現状の位置Ａから位置Ａ′に至ると移動鋏２２１ａ-１は回転しながら閉じ、固定鋏２２２ａと重なる。一方、固定鋏２２２ａならびに柄２２１ａ-２を有する移動鋏２２１ａ-１と左右関係で対になっている固定鋏２２２ｂならびに柄２２１ｂ-２を有する移動鋏２２１ｂ-１が鋏の先端部を合わせて配置されており、対になる鋏も位置Ｂから位置Ｂ′に、前記位置Ａから位置Ａ′への動きとほぼ同時に移動させることにより、移動鋏２２１ａ-１ならびに移動鋏２２１ｂ-１とでカバーされる範囲のロールペーパーを切断することが出来る。なお、通常この際左右の柄２２１ａ-２ならびに柄２２１ｂ-２はそれぞれ引きバネ２２５ａならびに引きバネ２２５ｂで引かれ、ストッパー２２４ａならびにストッパー２２４ｂで保持され、鋏が開いた状態にあるが、必要に応じて柄２２１ａ-２ならびに柄２２１ｂ-２をレバー（不図示）などで押して鋏を閉じることになる。
【００７０】
更に、追加する本発明に係る実施例として、片手操作時に付随する形で使用すると便利なロールペーパー受けについて述べる。即ち、図３７Ａにおいて使用する際に引き出したロールペーパーや、切断時に落下するロールペーパー切断片を受けとめるペーパー受け部２３１が左右二本の支持棒２３３ａならびに２３３ｂで釣り下げられている。このとき、前記ペーパー受け部２３１は平坦部２３１ａ、円弧部２３１ｃ、後側衝立部２３２ａ、前側衝立部２３２ｂとで構成され、更に詳細には図３７Ｂで示すように、円弧部２３１ｃは、平坦部２３１ａに設けた手を差し入れることが出来る空間部２３４を挟み、左側円弧部２３１ｃ-１と右側円弧部２３１ｃ-２とで構成されている。また、前記左右二本の支持棒２３３ａならびに２３３ｂの先端部はそれぞれ内側に折り曲げた折り曲げ部２３３ａ-１ならびに２３３ｂ-１とを有し、前記図３４Ｂに示す本体部の底部に設けた左右二箇所の底穴２１２ａと２１２ｂとにそれぞれ取り外し自由にはめ込まれ、ロールペーパーホルダー本体部１８８から吊り下げられている。なお、ここで前記後側衝立部２３２ａと前側衝立部２３２ｂとの間隔及び前記左右二本の支持棒２３３ａならびに２３３ｂの長さを可変構造にしておくと更に使い勝手が良くなる。
【００７１】
以上において、ロールペーパー端部を挟み込み、切断後にたるみを持たせるための裏面部材やカバー部材の凹凸部の形状や数などは上記実施例に限定されるものではなく裏面部材とカバー部材の開閉によりロールペーパー端部にたるみを持たせることが出来る構造や手法であればそれでもよい。また、歯の部分と裏面部材、カバー部材との組み合わせも上記実施例の組み合わせに限定されるものではなく、それぞれ組み合わせは自由である。また、先端歯部についても直線、曲線、鋸歯などの形状、先端部の鋭利さなどを含め特に上記実施例に限定されるものではない。また、図１８、図１９、図２０に示される各バネ部材やスポンジはゴムなどを含めたクッション部材や弾力性を持った部材などで相互に置き換えることが出来るし、クッション部材単体で使用することも出来る。
【００７２】
更に、裏面部材やカバー部材ならびにこれらに付加する各部材に帯電防止剤を練りこんだり塗布することによりロールペーパーの離反が更に容易になると共に、前記裏面部材やカバー部材に設けた凸部などペーパーがすべる部分には金属箔や金属テープを貼り付けたり、潤滑性を有する材料を塗布するなどしても良い。
【００７３】
更に、各部材の各面に酸化チタンや銀イオンを有する材料などの封入やコーティングを施すことによって防汚、抗菌作用を持たせることが出来る。
【００７４】
更に、ロールペーパーホルダー全般においてその一部にカレンダー、時計、液晶などの画像表示装置、温度計、湿度計、ブザー、等を取り付けたり埋め込んで使用することも出来る。
【産業上の利用可能性】
【００７５】
本発明のロールペーパーホルダーはホルダーから必要な長さのロールペーパーを引き出してカットする際、残りの先端部がホルダーに付着したり、カバーに隠れたり、カッターに絡んだりすることなく先端部を開放した状態で保持することが出来るため、次に引き出しやすく、特に柔らかな紙質や２重巻きのトイレットペーパー用ホルダーとして最適な構成である。また、キッチンペーパーや、カッターに絡みやすい材質を使った食料品包装用フィルム用のホルダーとしてなど適応範囲は広い。
【図面の簡単な説明】
【００７６】
【図１】ロールペーパーホルダーの構成を示す側面図
【図２】ロールペーパーホルダー筐体部の前部と側部を示す斜視図
【図３】ロールペーパーホルダー筐体部の前部と側部を示す別の実施例の斜視図
【図４】ロールペーパーホルダー筐体部の前部と側部を示す別の実施例の斜視図
【図５】ロールペーパーホルダー筐体部の前部と側部を示す別の実施例の斜視図
【図６】ロールペーパーホルダー筐体部の前部と側部を示す別の実施例の斜視図
【図７】カバー部材単体の平面図
【図８】カバー部材単体とカバー部材を含むロールペーパーホルダーの平面図
【図９】カバー部材を裏面部材に押し付ける際の揺動状態を示す側面図である。
【図１０】カバー部材を跳ね上げる状態を示す側面図
【図１１】カバー部材を裏面部材に押し付ける際の揺動状態を示す別の実施例の側面図
【図１２】カバー部材を裏面部材に押し付ける際の揺動状態を示す別の実施例の側面図
【図１３】ロールペーパー保持軸を使用しないで保持する実施例の側面図
【図１４】ロールペーホルダの別の構成を示す側面図
【図１５】ロールペーホルダの別の構成を示す側面図
【図１６】ロールペーホルダの別の構成を示す側面図
【図１７】カバー部材におけるバネの配置を示す平面図
【図１８】引き出されたロールペーパーを先端歯部でカットする際の様子を示す側面図
【図１９】引き出されたロールペーパーを先端歯部でカットする際の様子を示す別の側面図
【図２０】引き出されたロールペーパーを先端歯部でカットする際の様子を示す別の側面図
【図２１】先端歯部の形状を示す平面図
【図２２】引き出されたロールペーパーを先端歯部でカットする際の様子と構成を示す側面図と平面図
【図２３】ロールペーパー切断部の構造ならびに機能を示す側面図
【図２４】ガイド部材と跳ね板間の横滑りを吸収する手法を示す側面図
【図２５】ロールペーパーホルダーの別の構成を示す側面図
【図２６】ペーパーの垂れ下がりを形成する手法の説明図
【図２７】ペーパーの垂れ下がりを形成する別の手法の平面図と側面図
【図２８−１】ロック機構の全体側面図
【図２８−２】ロック機構の部品図
【図２９】先端歯部の別の平面図
【図３０】ロールペーパーホルダーを構成するカバー部材の詳細な構成図
【図３１】ロールペーパーホルダー全体の構成図
【図３２】跳ね板、台座、ストッパーの各構造と機能の表示図
【図３３】スイングバネの形態と動きを示す説明図
【図３４】ロールペーパーホルダーにおけるバネの配置を示す本体図
【図３５】押し出しバネ構成図及び説明図
【図３６】鋏式カッター平面図
【図３７】ペーパー受け側面図及び平面図
【符号の説明】
【００７７】
１、１８０ａ、１８０ｂ  側面カバー
２  保持軸
３  ロールペーパー
４ａ、４ｂ、４ｃ、２７ａ、２７ｂ、３５ａ、３５ｂ、３７ａ、３７ｂ、１０５、１５７、１５３、２０５  バネ部材
５、１１３、１４７Ａ、１４７Ｂ、１８２  ロールペーパー受け軸
６、２３、６６、２０２、１０２、１５６  裏面部材
６Ａ、６Ｂ、８Ａ、８Ｂ、１４、１４５  コイルバネ
６ｂ、６ｃ、６ｄ、６ｅ、６Ｃ、８Ｃ、２０９  クッション材
７、７Ａ  、２０３、１１１、１３４、１４８、１５６ａ  台座
８、１７、１７Ａ、２４、３１、８８、１０１、１４１、１５１、１７１  カバー部材
９  支点部材
１０、１０Ａ、１０Ｂ、２５、１５２、２０６  先端歯部
１１、２８ａ、２８ｂ、３０ａ、３０ｂ、３６ａ、３６ｂ、１１０、１５４、２０４  跳ね板
１２、１９  コイルバネ第２固定部材
１３、２０  コイルバネ第１固定部材  
１５  ガイド孔
１６  錘
２５、２５Ａ、２５Ｂ、１０９、１３２、１４１Ａ  先端歯部
２６、２０１、１０８、１４６、１５１ａ、１７８  ストッパー
２９ａ、２９ｂ、３８ａ、３８ｂ  スポンジ
３２  先端歯
３４  下側板歯
２０８  ガイド部材
１０７  ガイド板
１０４  ガイド軸
１０６  ガイド軸受け
１１２  底板
１４３、１４４  回転軸
１４２  跳ね上げ部材
１５５  スライダー
１５５ｂ  跳ね板受け部
１５６ｂ  コントロール棒
１７０ａ、１７０ｂ  アーム
１７３，１７４，１８３，１８４  凸部
１７５ａ、１７５ｂ  ガイド支柱
１７６、１９３  歯状刃物
１７７，１９２  跳ね板  
１７７ａ、１７７ｂ、１９２ａ、１９２ｂ  跳ね板端面
１７８  ストッパー
１７９ａ、１７９ｂ  スイングバネ押し支柱
１８１  底板
１８７ａ，１８７ｂ、１８８ａ-１、１８８ｂ−１  スイングバネ
１８５ａ、１８５ｂ  台座
１８６ａ、１８６ｂ  台座面
１８８  本体部
２１０  押し出しバネ
２１１  押し板
２１２ａ、２１２ｂ  底穴
２２１ａ-１、２２１ｂ-１  移動鋏
２２２ａ、２２２ｂ  固定鋏
２３１  ペーパー受け部
２３２ａ  後側衝立部
２３２ｂ  前側衝立部
２３３ａ、２３３ｂ  支持棒
２３４  空間部
【図１】
2009118990.tif 000003
【図２】
2009118990.tif 000004
【図３】
2009118990.tif 000005
【図４】
2009118990.tif 000006
【図５】
2009118990.tif 000007
【図６】
2009118990.tif 000008
【図７】
2009118990.tif 000009
【図８】
2009118990.tif 000010
【図９】
2009118990.tif 000011
【図１０】
2009118990.tif 000012
【図１１】
2009118990.tif 000013
【図１２】
2009118990.tif 000014
【図１３】
2009118990.tif 000015
【図１４】
2009118990.tif 000016
【図１５】
2009118990.tif 000017
【図１６】
2009118990.tif 000018
【図１７】
2009118990.tif 000019
【図１８】
2009118990.tif 000020
【図１９】
2009118990.tif 000021
【図２０】
2009118990.tif 000022
【図２１】
2009118990.tif 000023
【図２２】
2009118990.tif 000024
【図２３】
2009118990.tif 000025
【図２４】
2009118990.tif 000026
【図２５】
2009118990.tif 000027
【図２６】
2009118990.tif 000028
【図２７】
2009118990.tif 000029
【図２８−１】
2009118990.tif 000030
【図２８−２】
2009118990.tif 000031
【図２９】
2009118990.tif 000032
【図３０】
2009118990.tif 000033
【図３１】
2009118990.tif 000034
【図３２】
2009118990.tif 000035
【図３３】
2009118990.tif 000036
【図３４】
2009118990.tif 000037
【図３５】
2009118990.tif 000038
【図３６】
2009118990.tif 000039
【図３７】
2009118990.tif 000040